(57)【特許請求の範囲】
【請求項１】
容器体口頸部へ嵌合可能な装着筒内から主筒（２）を起立し、該主筒から射出筒（５）を前方へ突設し、該射出筒前端部へノズルキャップ（１２）を回動可能に嵌合させ、該ノズルキャップの回動による切替操作で液ないし泡の吐出形態を切り替え可能な液体吐出ポンプの吐出ノズルにおいて、
ノズルキャップ（１２）を断面多角形状に形成して、ノズルキャップ（１２）各面の上下左右方向への延長面上に、それぞれ指をかけて回動させるための操作用突部を突設させ、ノズルキャップ（１２）の上面の左右方向中間部が射出筒（５）前端上面の左右方向中間部に位置する目印と一致した状態において、１つの前記操作用突部が上方を向くことを特徴とする液体吐出ポンプの吐出ノズル。
【請求項２】
前記操作用突部のそれぞれの形状を異ならせたことを特徴とする請求項１記載の液体吐出ポンプの吐出ノズル。
【請求項３】
前記操作用突部を板状に形成し、１つの前記操作用突部を除いた他の前記操作用突部先端に切欠部を形成して、各切欠部の大きさをそれぞれ異ならせたことを特徴とする請求項１又は２記載の液体吐出ポンプの吐出ノズル。
【請求項４】
前記操作用突部を板状に形成し、１つの前記操作用突部を除いた他の前記操作用突部先端に突起（２２）を形成して、該突起（２２）の数をそれぞれ異ならせたことを特徴とする請求項１又は２記載の液体吐出ポンプの吐出ノズル。
【請求項５】
前記操作用突部はノズルキャップ（１２）の外面へ嵌合させた嵌合筒（２０）外面から突設されていることを特徴とする請求項１ないし４のいずれか１つに記載の液体吐出ポンプの吐出ノズル。
【発明の詳細な説明】
【技術分野】
【０００１】
本発明は、液体吐出ポンプ、特にトリガーの前後方向揺動で容器体内液体をシリンダ３へ吸込み、かつ該シリンダ内液体を射出筒前端から吐出可能に設けたトリガー式液体吐出ポンプの吐出ノズルに関する。
【背景技術】
【０００２】
トリガー式液体吐出ポンプとして、容器体口頸部へ嵌合させた装着筒内から主筒を起立し、該主筒前面からシリンダを、かつ主筒上端から射出筒を、それぞれ前方突設し、射出筒前部に枢着させて垂設したトリガーの上方後部に、シリンダ内へ嵌合させたプランジャ前端部を連結し、かつトリガーを前方付勢させ、更に射出筒前端部へ回動可能に液体噴出部を有するノズルキャップを嵌合させ、該嵌合部に、射出筒に対するノズルキャップの回動で、射出筒が有する射出筒孔と液体噴出部とを連通させ、又遮断させることが自在な液体通路開閉機構を設け、トリガーの前後方向揺動で容器体内液体をシリンダ内へ吸込み、かつ該シリンダ内液体を射出筒前端から噴出可能に設けたものが知られている(特許文献１)。
【特許文献１】特開２０００−７０７８０号公報
【発明の開示】
【発明が解決しようとする課題】
【０００３】
しかしながら特許文献１記載の発明では、ノズルキャップには、回動操作する際の指を掛けるための何等の手段も設けられていないばかりか、ノズルキャップの表面に記載された止、泡(大)、泡(小)等の文字を識別できない場合には、これらの文字を射出筒前端上面の目印に一致させることができず、所望の吐出態様や不使用時におけるノズルキャップの閉鎖状態を選択できないという欠点があった。
【０００４】
本発明の主たる目的は、ノズルキャップの回動操作が容易なトリガー式液体吐出ポンプの吐出ノズルを提供することにある。
【０００５】
本発明の他の目的は、ノズルキャップ表面の表示を識別できない場合でも、所望の吐出態様や不使用時におけるノズルキャップの閉鎖状態を判別することができるトリガー式液体吐出ポンプの吐出ノズルを提供することにある。
【課題を解決するための手段】
【０００６】
本発明は、容器体口頸部へ嵌合可能な装着筒内から主筒２を起立し、該主筒から射出筒５を前方へ突設し、該射出筒前端部へノズルキャップ１２を回動可能に嵌合させ、該ノズルキャップの回動による切替操作で液ないし泡の吐出形態を切り替え可能な液体吐出ポンプの吐出ノズルにおいて、
ノズルキャップ１２を断面多角形状に形成して、ノズルキャップ１２各面の上下左右方向への延長面上に、それぞれ指をかけて回動させるための操作用突部を突設させ、ノズルキャップ１２の上面の左右方向中間部が射出筒５前端上面の左右方向中間部に位置する目印と一致した状態において、１つの前記操作用突部が上方を向くことを特徴とする。
【０００８】
さらに、本発明は、前記操作用突部のそれぞれの形状を異ならせたことを特徴とする。
【０００９】
さらに、本発明は、前記操作用突部を板状に形成し、１つの前記操作用突部を除いた他の前記操作用突部先端に切欠部を形成して、各切欠部の大きさをそれぞれ異ならせたことを特徴とする。
【００１０】
さらに、本発明は、前記操作用突部を板状に形成し、１つの前記操作用突部を除いた他の前記操作用突部先端に突起２２を形成して、該突起２２の数をそれぞれ異ならせたことを特徴とする。
【００１１】
さらに、本発明は、前記操作用突部はノズルキャップ１２の外面へ嵌合させた嵌合筒２０外面から突設されていることを特徴とする。
【発明の効果】
【００１２】
本発明は、ノズルキャップの周面に操作用突部を設けたので、該操作用突部に指を掛けることができ、したがって、ノズルキャップの回動操作が容易である。
【００１３】
また、本発明は、操作用突部１３ａ、１３ｂ、１３ｃをノズルキャップのそれぞれの角部からノズルキャップ１２各面の上下左右方向への延長面上に突設させたので、ノズルキャップの回動操作が一層容易である。
【００１４】
さらに本発明は、ノズルキャップの上面の左右方向中間部が射出筒前端上面の左右方向中間部の目印と一致した状態において、１つの操作用突部が上方を向くため、ノズルキャップの切替状態が判別可能である。
【００１５】
さらに本発明は、操作用突部のそれぞれの形状を異ならせたので、上方を向く操作用突部の形状によってノズルキャップの切替状態を判別することができる。
【００１６】
さらに本発明は、操作用突部を板状に形成し、１つの操作用突部を除いた他の操作用突部に切欠部ないし突起を形成して、各切欠部の大きさないし突起の数をそれぞれ異ならせたので、切欠部の有無ないし切欠部の大きさの相違、突起の数の相違という簡素な手段によってノズルキャップの切替状態を判別することができる。
【００１７】
さらに、本発明は、操作用突部が設けられた嵌合筒をノズルキャップへ嵌合させるため、既存の液体吐出ポンプに適用することも可能である。
【発明を実施するための最良の形態】
【００１８】
以下、本発明を、図面に示す実施の形態を参照しながら説明する。
１は装着筒で、液体を収容する容器体口頸部へ嵌合可能となっている。
２は主筒で、装着筒１内から立設されている。
【００１９】
５は射出筒で、主筒２から前方へ突設されており、射出筒５前部にトリガー７が枢着されている。
【００２０】
１０は吐出ノズルで、射出筒５の先端部内面に嵌合されたノズル内筒部１１と、該ノズル内筒部の先端へ回動自在に嵌合されたノズルキャップ１２とから形成されている。
【００２１】
ノズルキャップ１２は横断面三角形状に形成されていて、ノズルキャップのそれぞれの角部には板状の操作用突部１３ａ、１３ｂ、１３ｃが突設されている。これら操作用突部の突設方向には特に限定はないが、例えば、本実施形態では、図１に示すように、操作用突部１３ａはノズルキャップ１２上面の左方向への延長面上に突設し、また、操作用突部１３ｂはノズルキャップ右側面の上方への延長面上に突設し、さらに、操作用突部１３ｃはノズルキャップ左側面の下方への延長面上に突設する。
【００２２】
このように操作用突部１３ａ、１３ｂ、１３ｃはノズルキャップ１２各面の前後方向を除いた上下左右方向への延長面上に突設させるのが好ましい。
【００２３】
このように形成することにより、ノズルキャップ上面の左右方向中間部が、射出筒５前端上面の左右方向中間部に形成された三角形状の目印に一致した際に(図１参照)、いずれか１つの操作用突部(図１では１３ｂ)が上方を向くようにすることができる。
【００２４】
操作用突部の形状についても特に限定はないが、本実施形態では、３つの操作用突部のうち２つ(１３ａ、１３ｂ)に切欠部１４ａ、１４ｂを形成する。その際、一方の操作用突部１３ａの切欠部１４ａと他方の操作用突部１３ｂの切欠部１４ｂとの前後方向幅を異ならせる。
【００２５】
このようにすることにより、上方を向いた操作用突部１３ｂの切欠部１４ｂの幅を触れる等して知ることでノズルキャップ１２の切替状態を判別することができる。例えば、操作用突部１３ｂが上方を向く状態ではきめの細かい泡が、操作用突部１３ａが上方を向く状態ではきめの粗い泡が、それぞれ吐出されるように設定しておくことにより、目視不可能な状態であっても泡の吐出形態を判別することができる。
【００２６】
また、図２に示すように、切欠部が形成されていない操作用突部１３ｃが上方を向く場合には、トリガーを引いても吐出しないように設定しておくことにより、吐出不能状態を判別することができる。
【００２７】
もちろん図面に示すように、ノズルキャップ１２の各面に泡(大)、泡(小)、止等の文字を付することにより、これら文字を見ることで吐出形態を知ることができるようにすることが可能である。
【００２８】
なお、上記ではノズルキャップ１２の断面形状は三角形状であるが、これに限定されることなく、四角形状にすることも可能であり、さらには五角形以上の多角形状に形成することも可能である。また、ノズルキャップ１２の外面は断面円形状にすることも可能である。
【００２９】
また、本実施形態では、操作用突部１３ａ、１３ｂ、１３ｃは板状に形成されているが、これに限らず単なる突起でもよい。さらに、各操作用突部の形状を切欠部の幅および切欠部の有無によって異ならせているが、これらによることなく、例えば全体の形状をそれぞれ異ならせることでも判別が可能である。
【００３０】
上記では操作用突部はノズルキャップ１２自体に一体に設けられているが、これに限定されることなくノズルキャップ１２とは別体に設けることも可能である。すなわち、図４および図５に示すように、嵌合筒２０の周面から操作用突部２１ａ、２１ｂ、２１ｃを突設した嵌合部材を形成して、該嵌合部材をノズルキャップ１２外面へ嵌合させることも可能である。
【００３１】
なお、その際、切欠部１４ａ、１４ｂに代えて突起２２を形成してもよい。この場合には一方の操作用突部２１ａと他方の操作用突部２１ｂとのそれぞれの突起２２の数を異ならせる。
【００３２】
次に、吐出ノズル１０の構成について説明する。上述したようにノズルキャップ１２を回動させることにより、吐出される液体ないし泡の形態を適宜選択することができる。例えば、ノズルキャップ１２内周壁の溝とノズル内筒部１１の深溝とを連通させると、トリガー７の引き寄せで、糸状あるいは水滴状の液流が噴出される。
【００３３】
ノズルキャップ１２の操作用突部１３ａ、１３ｂ、１３ｃに指をかけて回動させることで、ノズル内筒部部分に形成された液体噴射路を切り変えることができる。例えば、液体噴射路を射出筒５のオリフィス、ノズルキャップ１２の内周壁の溝とノズル内筒部１１の深溝とスピン溝とで構成して、射出筒５のオリフィス、溝、深溝、スピン溝を連通させることできめの細かい泡状または霧状の液体を吐出させることができる
【００３４】
一方、ノズルキャップ１２を回動させて、ノズルキャップの内周壁の溝とノズル内筒部の深溝とスピン溝との連通を遮断させると、トリガー７を操作しても液体は吐出されることがない。
【図面の簡単な説明】
【００３５】
【図１】本発明に係るトリガー式液体吐出ポンプの吐出ノズルを示すもので、泡吐出可能状態を示す斜視図である。
【図２】吐出不能状態を示す図１相当図である。
【図３】図１の側面図である。
【図４】他の実施形態を示す図１相当図である。
【図５】嵌合筒から操作用突部を突設した嵌合部材の側面図である。
【図６】吐出ノズル部分の断面図である。
【符号の説明】
【００３６】
１  装着筒
２  主筒
５  射出筒
１２  ノズルキャップ
１３ａ、１３ｂ、１３ｃ、２１ａ、２１ｂ、２１ｃ  操作用突部
１４ａ、１４ｂ  切欠部
【図１】
0005246686.tif 000002
【図２】
0005246686.tif 000003
【図３】
0005246686.tif 000004
【図４】
0005246686.tif 000005
【図５】
0005246686.tif 000006
【図６】
0005246686.tif 000007